(57)【要約】【課題】衣服や鞄などの物品に対する多様なパターンの装飾を可能にする。【解決手段】装飾体１は装飾部材１０と取付部材１１を備える。取付部材１１は、片面に感熱性接着剤の塗布されたテープ状の布を、接着面が外側になるように丸めて筒状に形成したものであり、その外面の一部が予め装飾部材１０の裏面に接着されている。装飾体１は、衣服等の装飾対象物品の上に置かれて加熱・加圧されると、取付部材１１が装飾対象物品と接する部分に塗布されている接着剤により装飾対象物品に接着される。装飾対象物品と装飾部材１０との間には、取付部材１１によって通し孔が形成される。使用者は、この通し孔にリボン等の様々な装飾部材を差し込むことにより、様々なパターンの装飾を楽しむことができる。【選択図】図３
2015077227.tif 000002
【特許請求の範囲】
【請求項１】
装飾部材により装飾される部材である被装飾部材を装飾する第１の装飾部材と、
前記被装飾部材の表面に前記第１の装飾部材を取り付ける取付部材と
を備え、
前記第１の装飾部材が前記取付部材により前記被装飾部材の表面に取り付けられた状態において前記被装飾部材と前記第１の装飾部材との間に２以上の開口部を有する空隙が形成され、前記被装飾部材を装飾する第２の装飾部材が前記空隙に差し込まれることによって前記第２の装飾部材を前記被装飾部材に着脱可能とする
装飾体。
【請求項２】
前記取付部材は、１以上の筒状に形成された筒状部材を有し、
前記１以上の筒状部材の外面の一部は、前記第１の装飾部材に取り付けられている
請求項１に記載の装飾体。
【請求項３】
前記取付部材は、前記１以上の筒状部材の外面のうち前記第１の装飾部材に接しない部分に、前記被装飾部材の表面に接着される接着部材を有する
請求項２に記載の装飾体。
【請求項４】
前記取付部材はシート状に形成されたシート状部材を有し、
前記シート状部材の２以上の部分が前記第１の装飾部材に取り付けられている
請求項１に記載の装飾体。
【請求項５】
前記取付部材は前記シート状部材の外面のうち前記第１の装飾部材に接しない部分に、前記被装飾部材の表面に接着される接着部材を有する
請求項４に記載の装飾体。
【請求項６】
前記第１の装飾部材と前記取付部材は、一体に筒状に形成されている
請求項１に記載の装飾体。
【請求項７】
前記第１の装飾部材と一体に筒状に形成されている前記取付部材の外面に、前記被装飾部材の表面に接着される接着部材を有する
請求項５に記載の装飾体。
【請求項８】
前記第１の装飾部材と前記取付部材は、一体にシート状に形成されており、
前記第１の装飾部材と一体にシート状に形成されている前記取付部材の外面に、前記被装飾部材の表面に接着される接着部材を有する
請求項１に記載の装飾体。
【請求項９】
前記第１の装飾部材は筒状に形成され、
前記取付部材はシート状に形成されたシート状部材を有し、
前記取付部材は、前記シート状部材の一方の面上に前記第１の装飾部材の外面に接着される接着部材を有し、前記シート状部材の他方の面上に前記被装飾部材の表面に接着される接着部材を有する
請求項１に記載の装飾体。
【請求項１０】
前記接着部材は、加熱により接着される
請求項３、５、７、８および９のいずれか１項に記載の装飾体。
【請求項１１】
装飾部材により装飾される部材である被装飾部材と、
前記被装飾部材の表面に取り付けられた前記被装飾部材を装飾する第１の装飾部材と
を備え、
前記被装飾部材と前記第１の装飾部材との間に２以上の開口部を有する空隙を有し、
前記被装飾部材を装飾する第２の装飾部材が前記空隙に差し込まれることによって前記第２の装飾部材を前記被装飾部材に着脱可能とする
物品。
【発明の詳細な説明】
【技術分野】
【０００１】
本発明は、装飾体及び装飾部材を有する物品に関する。
【背景技術】
【０００２】
衣服や鞄などを装飾するための装飾部材として、様々なものが提案されている。例えば特許文献１には、スカーフやベルトなどの装飾部材を挿通するための長円状通孔が任意の箇所に形成されている装飾体本体と、手工用粘土で造形され、装飾体本体の表面に取着された装飾部品と、装飾体本体の裏面に取着され、装飾体本体を衣服の任意の場所に取り付けるための安全ピンとで構成された装飾体が開示されている。特許文献２には、取付基材の前面に安全ピンを取り付けるための通し孔や横長状の筒を設けたワッペンが開示されている。特許文献３には、名札が取り付けられた安全ピンを取り付けるための環状部が下方に設けられたアップリケが開示されている。
【先行技術文献】
【特許文献】
【０００３】
【特許文献１】登録実用新案第３０９５１５４号公報
【特許文献２】特開２００２−１６９４７４号公報
【特許文献３】登録実用新案第３１２６２６０号公報
【発明の概要】
【発明が解決しようとする課題】
【０００４】
アップリケやワッペンなどの装飾体を安全ピンや面ファスナー等で着脱可能にすることにより、所有者は衣服や鞄などに取り付ける装飾体をＴＰＯやその日の気分に応じて取り替えることができる。しかしながら、装飾体が与える印象は装飾体のそれぞれで固定的であるから、印象の変化は付け替えられる装飾体の数に応じた範囲に限られる。
本発明は上述した事情に鑑みてなされたものであり、衣服や鞄などの物品に対する多様なパターンの装飾を可能にすることを目的とする。
【課題を解決するための手段】
【０００５】
上記の課題を解決するため、本発明は、装飾部材により装飾される部材である被装飾部材を装飾する第１の装飾部材と、前記被装飾部材の表面に前記第１の装飾部材を取り付ける取付部材であって、前記第１の装飾部材が前記被装飾部材の表面に取り付けられた状態において前記被装飾部材と前記第１の装飾部材との間に２以上の開口部を有する空隙を形成する取付部材とを備え、前記被装飾部材を装飾する第２の装飾部材が前記空隙に差し込まれることによって前記第２の装飾部材を前記被装飾部材に着脱可能とする装飾体を提供する。
【０００６】
好ましい態様において、前記取付部材は、１以上の筒状に形成された筒状部材を有し、
前記１以上の筒状部材の外面の一部は、前記第１の装飾部材に取り付けられている構成としてもよい。
【０００７】
好ましい態様において、前記取付部材は、前記１以上の筒状部材の外面のうち前記第１の装飾部材に接しない部分に、前記被装飾部材の表面に接着される接着部材を有する構成としてもよい。
【０００８】
好ましい態様において、前記取付部材はシート状に形成されたシート状部材を有し、前記シート状部材の２以上の部分が前記第１の装飾部材に取り付けられている構成としてもよい。
【０００９】
好ましい態様において、前記取付部材は前記シート状部材の外面のうち前記第１の装飾部材に接しない部分に、前記被装飾部材の表面に接着される接着部材を有する構成としてもよい。
【００１０】
好ましい態様において、前記第１の装飾部材と前記取付部材は、一体に筒状に形成されている構成としてもよい。
【００１１】
好ましい態様において、前記第１の装飾部材と一体に筒状に形成されている前記取付部材の外面に、前記被装飾部材の表面に接着される接着部材を有する構成としてもよい。
【００１２】
好ましい態様において、前記第１の装飾部材と前記取付部材は、一体にシート状に形成されており、前記第１の装飾部材と一体にシート状に形成されている前記取付部材の外面に、前記被装飾部材の表面に接着される接着部材を有する構成としてもよい。
【００１３】
好ましい態様において、前記接着部材は、加熱により前記被装飾部材の表面に接着される構成としてもよい。
【００１４】
好ましい態様において、前記第１の装飾部材は筒状に形成され、前記取付部材はシート状に形成されたシート状部材を有し、前記取付部材は、前記シート状部材の一方の面上に前記第１の装飾部材の外面に接着される接着部材を有し、前記シート状部材の他方の面上に前記被装飾部材の表面に接着される接着部材を有する構成としてもよい。
【００１５】
また、本発明は、装飾部材により装飾される部材である被装飾部材と、前記被装飾部材の表面に取り付けられた前記被装飾部材を装飾する第１の装飾部材とを備え、前記被装飾部材と前記第１の装飾部材との間に２以上の開口部を有する空隙を有し、前記被装飾部材を装飾する第２の装飾部材が前記空隙に差し込まれることによって前記第２の装飾部材を前記被装飾部材に着脱可能とする物品を提供する。
【発明の効果】
【００１６】
本発明によれば、衣服や鞄などの物品に対する多様なパターンの装飾が可能になる。
【図面の簡単な説明】
【００１７】
【図１】本発明の第１実施形態における装飾体の正面図。
【図２】本発明の第１実施形態における装飾体の側面図。
【図３】本発明の第１実施形態における装飾体を背面からみた斜視図。
【図４】装飾体が取り付けられた衣服の外観図。
【図５】装飾体が衣服に取り付けられた状態を示す側面図。
【図６】装飾体が取り付けられた衣服の外観図。
【図７】装飾体が取り付けられた衣服の外観図。
【図８】本発明の第２実施形態における装飾部材と取付部材の斜視図。
【図９】本発明の第３実施形態における装飾体の側面図。
【図１０】取付部材の外観を示す図。
【図１１】取付部材の外観を示す図。
【図１２】本発明の変形例に係る装飾体の側面図。
【図１３】本発明の変形例に係る取付部材の外観図。
【図１４】本発明の変形例に係る装飾体の外観図。
【図１５】本発明の変形例に係る装飾体の外観図。
【図１６】本発明の変形例に係る装飾体の外観図。
【図１７】本発明の変形例に係る装飾体の外観図。
【発明を実施するための形態】
【００１８】
（１．第１実施形態）
図１は、本発明の第１実施形態における装飾体１の正面図であり、図２は装飾体１の側面図である。また、図３は装飾体１を背面からみた斜視図である。装飾体１は、衣服や鞄、帽子等の装飾対象となる物品（被装飾部材の一例であり、以下「装飾対象物品」という）の表面に取り付けられるものであり、装飾部材１０（第１の装飾部材の一例）と、取付部材１１とを備える。装飾部材１０は、装飾対象物品を装飾するものであり、本実施形態ではアップリケである。
【００１９】
取付部材１１は、装飾対象物品の表面に装飾部材１０を取り付ける部材である。本実施形態では、取付部材１１は、片面に感熱性接着剤（加熱により接着性を生じる接着剤を意味し、以下、単に「接着剤」という）が塗布されたテープ状の布を、接着剤が塗布された面（以下「接着面」という）が外側になるように丸めて筒状に形成されたものである。取付部材１１を構成するテープ状の布の端部１１ａと端部１１ｂは互いに重ね合わせされた状態で、例えば端部１１ｂの外面に塗布された接着剤により固着されている。なお、端部１１ａと端部１１ｂは重なり部分を持たず、例えば端部１１ａの縁と端部１１ｂの縁が互いに接するように配置されていてもよい。また、端部１１ａと端部１１ｂの固着は接着剤によるものに限られず、縫製によってもよい。
【００２０】
また、図２に示すように、取付部材１１の外面１１ｃ（取付部材１１を構成するテープ状の布の外面のうち装飾部材１０ａに接する部分）が装飾部材１０の裏面１０ａに、例えば外面１１ｃに塗布された接着剤により固着されている。
【００２１】
続いて、装飾体１が取り付けられた状態の装飾対象物品の例を説明する。図４は、装飾対象物品の例である衣服２に装飾体１が取り付けられた状態を示す外観図であり、図５は衣服２に装飾体１が取り付けられた状態を示す側面図である。装飾体１は、その裏面が衣服２の表面に接するように置かれた状態で、アイロンによって加熱および加圧されると、取付部材１１の外面１１ｄ（取付部材１１を構成するテープ状の布の外面のうち装飾部材１０ａに接しない部分）に塗布されている接着剤により衣服２に接着される。なお、取付部材１１の接着剤は加熱により溶融し、冷却されて固化することにより、隣接する部材を常温においてしっかりと固着する。
【００２２】
図５に示されるように、取付部材１１は筒形状であるため、衣服２と装飾部材１０との間には、取付部材１１によって通し孔が形成される。すなわち、装飾部材１０と衣服２との間には、取付部材１１により、開口部１１ｅ、１１ｆを有する空隙が形成される。衣服２の使用者は、取付部材１１によって形成されるこの通し孔に、紐や布、レース等の装飾部材（装飾部材１０とは異なる第２の装飾部材）を通すことにより、多様なパターンの装飾を楽しむことができる。以下、それらの装飾のパターンの例を示す。
【００２３】
図６は衣服２に取り付けられた装飾体１に装飾部材が差し込まれた状態の一例を示す図である。図６に示す例では、装飾体１に差し込まれる装飾部材として布素材の装飾部材２０が用いられている。また、装飾部材２０は、取付部材１１の通し孔に差し込まれることにより、蝶結びのように中央が絞られた形状となっている。このように、装飾部材２０が装飾部材１０の裏側に差し込まれて両者が重ね合わされることにより、両者が一体となった立体感のある装飾品が形成され、それらが単体で用いられる場合とは異なる印象を与えることができる。
【００２４】
なお、使用者は結び目を作ったり縫製を行ったりする手間を要すること無く、装飾部材２０を通し孔に差し込むだけで簡単に図６に例示のような蝶結びの形状を作ることができる。従って、使用者が蝶結びをうまく作ることができない子供等であっても、本実施形態によれば、簡単に蝶結びの形状の装飾を楽しむことが出来る。
【００２５】
また、装飾部材２０は装飾体１及び衣服２のいずれにも固着されておらず、単に通し孔に差し込まれているだけであるから、使用者は装飾部材２０を容易に着脱することができるとともに、装飾部材２０を他の装飾部材と容易に交換することもできる。
【００２６】
図７は、図６の装飾部材２０に代えて、装飾部材２１（図７（ａ））又は装飾部材２２（図７（ｂ））が装飾体１に取り付けられた状態を示す図である。図７に例示されるように、本実施形態によれば、装飾体１に様々な種類の装飾部材を通すことにより、様々な種類の装飾体を形成することができる。その結果、衣服２の使用者は様々なパターンの装飾を楽しむことができる。
【００２７】
（２．第２実施形態）
次いで、本発明の第２実施形態について説明する。上述の第１実施形態では、装飾部材１０が取付部材１１に予め取り付けられている場合について説明した。それに対し本実施形態では、装飾部材１０と取付部材１１とが予め取り付けられておらず、装飾部材１０と取付部材１１の固着と、取付部材１１と衣服２の固着とが同じタイミングで行われる。
【００２８】
図８は、第２実施形態における装飾部材１０と取付部材１１との斜視図である。本実施形態における取付部材１１は第１実施形態における取付部材１１と同様に、片面に接着剤が塗布されたテープ状の布を、接着面が外側になるように丸めて両端部を重ね合わせ、筒状に形成したものである。本実施形態における取付部材１１の両端部の固着は、テープ状の布に予め塗布されている接着剤により行われている。このような構成の取付部材１１は、例えば、片面に接着剤が塗布されたテープ状の布を筒状にし、接着面のうち両端部の重なり部分以外の部分を弗素樹脂等の耐熱性シートで覆ってアイロン等により加熱及び加圧を行うことにより形成される。なお、取付部材１１の両端部の固着は、予め塗布されている接着剤によるものに限られず、他の接着剤または縫製等により行われていてもよい。
【００２９】
本実施形態において、装飾体１は以下の手順により衣服２に取り付けられる。まず、衣服２の上に取付部材１１を置き、その上に装飾部材１０を裏面１０ａが取付部材１１に接するように重ね、装飾部材１０の上からアイロンにより加熱および加圧を行う。その結果、取付部材１１の外面のうち装飾部材１０に接する部分の接着剤により、装飾部材１０と取付部材１１が固着されると同時に、取付部材１１の外面のうち衣服２に接する部分の接着剤により、取付部材１１と衣服２が固着される。これにより、図５に示した例と同様に、通し孔を形成する筒状体の取付部材１１を介して、衣服２に装飾部材１０が取り付けられた状態となる。
【００３０】
本実施形態にかかる装飾体１が取り付けられた衣服２によれば、第１実施形態にかかる装飾体１が取り付けられた衣服２による場合と同様に、使用者は通し孔に様々な装飾部材を通すことによって、様々なパターンの装飾を楽しむことができる。
【００３１】
（３．第３実施形態）
次いで、本発明の第３実施形態について説明する。上述の第１実施形態では、取付部材として、筒状に形成された取付部材１１が用いられる。それに対し本実施形態では、取付部材１１に代えて、シート状の取付部材３１が用いられる。
【００３２】
図９は、本実施形態における装飾体３の側面図である。装飾体３は、装飾部材１０と、取付部材３１とを備える。装飾部材１０は上述した第１実施形態で示したものと同様である。取付部材３１はシート状の布であり、その形状は例えば矩形である。なお、図９に示すように、取付部材３１の面のうち、装飾部材１０に対向する面を面３１ａとし、装飾部材１０に対向しない面を面３１ｂとする。
【００３３】
図１０は、取付部材３１の外観を示す図である。図１０（ａ）は取付部材３１の面３１ａ側を示す図であり、図１０（ｂ）は取付部材３１を面３１ｂを示す図である。取付部材３１の面３１ａには、互いに対向する２本の辺に沿った端部３１１ａと端部３１２ａにおいて接着剤が塗布されている。この端部３１１ａ及び端部３１２ａに塗布されている接着剤により、取付部材３１は予め装飾部材１０に固着されている。
【００３４】
また、取付部材３１の面３１ｂには、その全面に接着剤が塗布されている。この面３１ｂに塗布されている接着剤により、装飾体３は衣服２に対し取付けられる。装飾体３が衣服２に取り付けられる手順は以下の通りである。まず、取付部材３１が衣服２の表面に接するように、装飾体３を衣服２の上に置く。次いで、装飾体３の上からアイロンによって加熱及び加圧を行う。その結果、取付部材３１の面３１ｂに塗布されている接着剤が溶融し、その後の冷却により固化することにより、取付部材３１を介して装飾部材１０が衣服２にしっかりと取り付けられる。
【００３５】
上記のように装飾体３が取付けられた衣服２においては、衣服２と装飾部材１０との間に、装飾部材１０の裏面の一部と取付部材３１の面３１ａによって通し孔が形成される。衣服２の使用者は、第１の実施形態における場合と同様に、通し孔に様々な装飾部材を通すことにより、多様なパターンの装飾を楽しむことができる。
【００３６】
（４．変形例）
以上、本発明の実施形態について説明したが、本発明は上述した実施形態に限定されることなく、他の様々な形態で実施可能である。例えば、上述の実施形態は以下のように変形されてもよい。なお、上述した実施形態及び以下の変形例の２以上が組み合わされてもよい。
【００３７】
（４−１）上述の第１実施形態では、図６に示すように、装飾体１が衣服２に取付けられた状態において、取付部材１１により形成される通し孔が横方向に貫通する向きで配置されているが、通し孔の貫通の方向はこれに限定されない。例えば、装飾体１が衣服２に取付けられた状態において、通し孔が縦方向や斜め方向に貫通するように構成されてもよい。
【００３８】
（４−２）取付部材の形状は、上述した各実施形態で示したものに限定されない。図１１は、取付部材の他の形状を例示した図である。図１１（ａ）に示す例では、取付部材は複数の筒状部材４１ａ、４１ｂ、４１ｃを有し、筒状部材４１ａ、４１ｂ、４１ｃの各々が平行方向に貫通する独立した通し孔を形成する形状をしている。
【００３９】
また、図１１（ｂ）に示す例では、取付部材は複数の筒状部材５１ａ、５１ｂを有し、筒状部材５１ａ、５１ｂの各々が互いに交差する方向に貫通する独立した通し孔を形成する形状をしている。
【００４０】
また、図１１（ｃ）は、図１１（ａ）に例示の取付部材に代えて採用可能な取付部材を示している。図１１（ｃ）に例示される取付部材は、第１実施形態における取付部材１１と同様に筒状に形成されたテープ状の布に対し、孔の貫通の方向と平行な方向に複数のステッチ６１１ａ、６１１ｂをかけたものである。図１１（ｃ）に例示の取付部材には、ステップ６１１ａ、６１１ｂによって、互いに独立した複数の通し孔が形成されている。
【００４１】
図１１（ａ）乃至（ｃ）に例示されるような、互いに独立する複数の通し孔が形成された装飾体が装飾対象物品に取り付けられた場合、使用者は複数の通し孔の各々に異なる装飾部材を通すことができるため、通し孔が１つの場合と比較して、より多様なパターンの装飾を楽しむことができる。
【００４２】
また、図１１（ｄ）は、装飾部材を差し込むための貫通しない穴を有する形状の取付部材を例示している。図１１（ｄ）に例示される取付部材は、第１実施形態における取付部材１１と同様に筒状に形成されたテープ状の布に対し、穴の貫通の方向と垂直な方向にステッチ７１１をかけたものである。図１１（ｄ）に例示の取付部材は、複数の開口部７１２、７１３を有するが貫通しない空隙を形成し、その空隙には開口部７１２、７１３の各々から装飾部材７１、７２が差し込まれる。このように、装飾部材と装飾対象物品との間に形成される空隙は、開口部から装飾部材を差し込むことができれば、貫通していなくてもよい。
【００４３】
（４−３）図１２は、図９に示した第３実施形態における取付部材３１に代えて採用可能な取付部材８１を備える装飾体８を示している。取付部材８１は、一方の面である面８１ｂに接着剤が塗布されたシート状の矩形の布により構成される。取付部材８１を構成するシート状の布の互いに対向する２本の辺に沿った２つの端部は、面８１ｂが装飾部材１０の裏面に接するように折り曲げられた状態で装飾部材１０に接着されている。
【００４４】
図１２に示される構成の装飾体８は、第３実施形態における装飾体３と同様に、取付部材８１が衣服２の表面に接するにように衣服２の上に置かれた後、アイロンにより加熱および加圧されることで、衣服２に取付けられる。
【００４５】
（４−４）また、取付部材は、図１３に示すような形状であってもよい。図１３に例示の取付部材９１は、片面に接着面を有する丸型のシートを２枚、接着面が外側になるように重ね合わせて、図１３（ａ）において２重の破線で示されるように、複数箇所で縫い止めたものである。取付部材９１は、衣服２と装飾部材１０との間に、６つの開口部を有する１つの空隙を形成する。使用者は、これらの６つの開口部の中から任意に選択した２つの開口部を出口および入口として装飾部材を差し込むことにより、衣服２に対し、複数の装飾部材を様々な方向に取り付けることができる。図１３（ｂ）は、６つの開口部の各々から、空隙に差し込まれた装飾部材９２、９３、・・・が露出し、全体として花びらのような形状の装飾体が形成されている様子を示している。
【００４６】
（４−５）また、取付部材は、図１４に示すような形状であってもよい。図１４（ａ）は本変形例に係る装飾体１００を表側からみた外観図であり、図１４（ｂ）は装飾体１００を裏側からみた外観図である。装飾体１００は、装飾部材１１０と、取付部材１１１とを備える。取付部材１１１は、矩形の枠形状をしており、装飾部材１１０に縫製や接着等により取り付けられている。また、取付部材１１１には、衣服２に接する側の面１１１ａにおいて接着剤が塗布されており、アイロンによって衣服２に面１１１ａが接着されることにより、装飾体１００が衣服２に取り付けられる。なお、装飾部材１１０の裏面１１０ａのうち取付部材１１１と接していない部分は衣服２に固着されないため、衣服２と装飾部材１１０との間に装飾部材の通し孔が形成される。
【００４７】
（４−６）また、取付部材は、図１５に示すような形状であってもよい。図１５（ａ）は本変形例に係る装飾体２００を表側からみた外観図であり、図１５（ｂ）は装飾体２００を裏側からみた外観図である。装飾体２００は、装飾部材２１０と、取付部材２１１とを備える。取付部材２１１は、花形の枠形状をしており、装飾部材２１０に縫製や接着等により取り付けられている。また、取付部材２１１には、衣服２に接する側の面２１１ａにおいて接着剤が塗布されており、アイロンによって衣服２に面２１１ａが接着されることにより、装飾体２００が衣服２に取り付けられる。なお、装飾部材２１０の裏面２１０ａのうち取付部材２１１と接していない部分は衣服２に固着されないため、衣服２と装飾部材２１０との間に装飾部材の通し孔が複数形成される。
【００４８】
（４−７）上述の各実施形態では、取付部材と、取付部材を介して衣服２に取り付けられる装飾部材（第１の装飾部材）とが別体として構成されている。これに代えて、取付部材と取付部材により衣服２に取り付けられる装飾部材が一体として構成されてもよい。
【００４９】
図１６は、本変形例にかかる装飾体を示している。図１６（ａ）に示す装飾体３００はテープ状の布を筒状にまるめて端部を縫い合わせて形成したものであり、外面の表側部分３００ａに模様が描かれている。また、接着部材３０１は両面に接着剤が塗布されたシート状の部材（例えば、両面接着芯）であり、その大きさ及び形状は装飾体３００の裏側部分３００ｂと概ね同じである。この変形例では、衣服２と装飾体３００の裏側部分３００ｂとの間に接着部材３０１を挟んだ状態でアイロンにより加熱及び加圧を行うことによって、装飾体３００が接着部材３０１を介して衣服２に取り付けられる。
【００５０】
なお、接着部材３０１を用いる代わりに、装飾体３００の裏側部分３００ｂに接着剤が塗布された構成としてもよい。この場合は、装飾体３００の裏側部分３００ｂが衣服２の表面に接するように置かれた状態でアイロンにより加熱及び加圧を行うことによって、装飾体３００が裏側部分３００ｂに塗布された接着剤により直接、衣服２に取り付けられる。
【００５１】
また、装飾体３００を衣服２に取り付ける前に、予め接着部材３０１の片面が装飾体３００の裏側部分３００ｂに固着されていてもよい。この装飾体３００と接着部材３０１の固着は、例えば、弗素樹脂等の耐熱性シートにより片面が覆われた接着部材３０１を、耐熱性シートに覆われていない面が上になるように置き、その上に装飾体３００を、その裏側部分３００ｂが接着部材３０１に接するように置き、それらの上からアイロン等により加熱及び加圧を行うことに行われる。このように、予め装飾体３００に接着部材３０１が固着されていれば、装飾体３００を衣服２に取り付ける際に装飾体３００と接着部材３０１の位置ずれが生じない。
【００５２】
また、図１６（ｂ）に示す装飾体４００は矩形のシート状の布であり、表側部分４００ａに模様が描かれており、裏面のうち互いに対向する２本の辺に沿った２つの端部４００ｂにおいて接着剤が塗布されている。また、図１６（ｃ）に示す装飾体５００は矩形のシート状の布を、互いに対向する２本の辺に沿った２つの端部において内側に折り返したものである。装飾体５００の表側部分５００ａには模様が描かれており、内側に折り返された部分の衣服２に接する面５００ｂにおいて接着剤が塗布されている。
【００５３】
これらの装飾体３００、４００、５００のいずれも、装飾部材を構成する表側の部分と、取付部材を構成する裏側の部分とを一体に備えており、衣服２の上に置かれて加熱・加圧されることにより衣服２に取り付けられ、衣服２と装飾部材との間に通し孔を形成する。
【００５４】
（４−８）また、取付部材と装飾部材は図１７に示すような形状であってもよい。図１７（ａ）に示す装飾体６００は、取付部材６１と装飾部材６２とで構成される。取付部材６１は矩形のシート状の布を、互いに対向する２本の辺に沿った２つの端部において内側に折り返したものであり、面６１ａに接着剤が塗布されている。装飾部材６２は、表側部分６２ａに模様が描かれた布を、互いに対向する２本の辺に沿った２つの端部において内側に折り返したものである。取付部材６１と装飾部材６２の折り返し部分が重ね合わされた状態で衣服２の上に置かれて加熱・加圧されることにより、取付部材６１が折り返し部分において装飾部材６２に接着するとともに、その他の部分において衣服２に接着し、これにより装飾体６００が衣服２に取り付けられる。なお、取付部分６１と装飾部材６２の折り返し部分をまず接着させ、その後、衣服２に装飾体６００を取り付ける、といったように２つの工程を経て取付が行われてもよい。また、装飾体６００を衣服２に取り付ける際に取付部材６１と装飾部材６２の位置ずれを防止するために、取付部材６１と装飾部材６２が、図１７（ｂ）に示すように、両者の折り返し部分において予め縫製等により連結されていてもよい。
【００５５】
また、他の例として、図１７（ｃ）に示すように、取付部材６１の接着面６１ａの端部と装飾部材６２の裏面（模様が描かれていない面）の端部とが接着されることによって装飾体６００が形成されてもよい。また、図１７（ｄ）に示すように、取付部材６１の接着面６１ａと装飾部材６２の表面（模様が描かれた側の面）が外側になるように両者が重ね合わされた状態で、互いに対向する２つの端部が縫製等により連結されていてもよい。また、図１７（ｅ）に示すように、取付部材６１の接着面６１ａの端部と装飾部材６２の裏面の端部とが予め縫製等により連結されていてもよい。
【００５６】
（４−９）上述の各実施形態における部材間の固着の方法は例示であって、固着の方法として他の方法が採用されてもよい。例えば、感熱性接着剤による固着に代えて、他の種類の接着剤による接着や縫製、面ファスナー等による固着が採用されてもよい。
【００５７】
（４−１０）上述の各実施形態では、装飾部材（第１の装飾部材）としてアップリケを例示したが、装飾部材はアップリケに限定されず、例えば、コサージュ、ブローチ、飾りボタン、宝石、ぬいぐるみ、又はこれらの組み合わせ等、装飾対象物品を装飾するものであれば如何なる種類のものであってもよい。
【００５８】
また、上述の各実施形態では、装飾部材（第１の装飾部材）と衣服２との間の空隙に差し込まれる装飾部材（第２の装飾部材）として布を例示したが、空隙に差し込まれる装飾部材は、リボンやレース等、布をテープ状に加工したものや、布がテープ状にカットされたもの、あるいは革紐やマスコット人形等、第１の装飾部材とともに装飾対象物品を装飾するものであれば如何なる種類のものであってもよい。
【００５９】
（４−１１）上述の各実施形態では、装飾対象物品として衣服を例示したが、装飾対象物品は衣服に限定されず、例えば、帽子、鞄、スニーカーや上履き等の靴、エプロン、水着、小物入れ、財布等、装飾部材により装飾される物品であれば如何なる種類のものであってもよい。
【００６０】
なお、本発明は、上述した各実施形態またはその変形例において例示される装飾体に加え、それらの装飾体が取り付けられた物品（被修飾部材である物品本体と装飾体を備える物品）としても把握される。
【符号の説明】
【００６１】
１，３，８，１００，２００，３００，４００，５００，６００…装飾体、２…衣服、１０，４０，５０，１１０，２１０…装飾部材（第１の装飾部材）、１１，３１，６１，８１，９１，１１１，２１１…取付部材、２０，２１，２２，６２，７１，７２，９２，９３…装飾部材（第２の装飾部材）。
【図１】
2015077227.tif 000003
【図２】
2015077227.tif 000004
【図３】
2015077227.tif 000005
【図４】
2015077227.tif 000006
【図５】
2015077227.tif 000007
【図６】
2015077227.tif 000008
【図７】
2015077227.tif 000009
【図８】
2015077227.tif 000010
【図９】
2015077227.tif 000011
【図１０】
2015077227.tif 000012
【図１１】
2015077227.tif 000013
【図１２】
2015077227.tif 000014
【図１３】
2015077227.tif 000015
【図１４】
2015077227.tif 000016
【図１５】
2015077227.tif 000017
【図１６】
2015077227.tif 000018
【図１７】
2015077227.tif 000019